(57)【要約】【課題】アクセサリが装着されてもレンズ制御の容易な交換レンズ着脱式の撮像装置または、その交換レンズを提供することを目的とする。【解決手段】上記課題を解決するために、本発明の交換レンズは、カメラボディに着脱可能な交換レンズであって、レンズと、アクセサリを装着可能なアクセサリ装着部と、装着されたアクセサリに関する情報を検出するアクセサリ検出部と、検出結果に基づいてレンズを制御するためのレンズデータを取得するレンズデータ取得部と、レンズデータをカメラボディに通知するレンズデータ通知部とを備える。  また、本発明のカメラボディは、上記交換レンズを着脱可能なカメラボディであって、通知されたレンズデータに基づいて、レンズ制御データを生成する制御データ生成部を、備える。【選択図】図２
2011128346.tif 000002
【特許請求の範囲】
【請求項１】
カメラボディに着脱可能な交換レンズであって、
レンズと、
アクセサリを装着可能なアクセサリ装着部と、
前記装着されたアクセサリに関する情報を検出するアクセサリ検出部と、
前記検出結果に基づいて前記レンズを制御するためのレンズデータを前記カメラボディに通知するレンズデータ通知部と、
を備えた、交換レンズ。
【請求項２】
前記カメラボディから前記レンズを制御するための制御データを取得する制御データ取得部と、
前記制御データと、前記レンズデータに基づいて前記レンズを制御するレンズ制御部と、
を更に備えた請求項１に記載の交換レンズ。
【請求項３】
請求項１または２に記載の交換レンズを着脱可能なカメラボディであって、
前記通知されたレンズデータに基づいて、レンズ制御データを生成する制御データ生成部を、備えたカメラボディ。
【請求項４】
交換レンズと、前記交換レンズを着脱可能なカメラボディとからなるカメラシステムであって、
前記交換レンズは、
レンズと、
アクセサリを装着可能なアクセサリ装着部と、
前記装着されたアクセサリに関する情報を検出するアクセサリ検出部と、
前記検出結果に基づいて前記レンズを制御するためのレンズデータを前記カメラボディに通知するレンズデータ通知部と、
を備え、
前記カメラボディは、
前記通知されたレンズデータに基づいて、レンズ制御データを生成する制御データ生成部を、備えた、
カメラシステム。
【請求項５】
前記交換レンズは、
前記カメラボディから前記レンズを制御するための制御データを取得する制御データ取得部と、
前記制御データと、前記レンズデータに基づいて前記レンズを制御するレンズ制御部と、
を更に備えた請求項４に記載のカメラシステム。
【発明の詳細な説明】
【技術分野】
【０００１】
本発明は、交換レンズ着脱式の撮像装置に関する。特に、アクセサリを装着可能な交換レンズ着脱式の撮像装置に関する。
【背景技術】
【０００２】
コンバージョンレンズなどのアクセサリを装着可能なカメラがある。特許文献１は、コンバージョンレンズを装着したことを認識するカメラシステムを開示している。これにより、特許文献１のカメラシステムは、コンバージョンレンズの情報や、コンバージョンレンズ使用時の状態などを認識することをなどができ、コンバージョンレンズ使用時の不具合を防ぐ事ができるとしている。
【先行技術文献】
【特許文献】
【０００３】
【特許文献１】特開２００１−２５５５７８号公報
【発明の概要】
【発明が解決しようとする課題】
【０００４】
しかしながら、特許文献１のカメラシステムは、ビデオカメラ本体に直接コンバージョンレンズを装着した場合のものであり、交換レンズ着脱式の撮像装置を想定したものではない。交換レンズ着脱式の撮像装置の場合、使用者の意図する画像を得るためには、カメラ本体が交換レンズとコンバージョンレンズの双方のレンズ特性を考慮してレンズ制御する必要があり、カメラ本体はレンズ制御を容易に行うことができなかった。
【０００５】
本発明は上記課題に鑑みてなされたものであり、アクセサリが装着されてもレンズ制御の容易な交換レンズ着脱式の撮像装置または、その交換レンズを提供することを目的とする。
【課題を解決するための手段】
【０００６】
上記課題を解決するために、本発明の交換レンズは、カメラボディに着脱可能な交換レンズであって、レンズと、アクセサリを装着可能なアクセサリ装着部と、装着されたアクセサリに関する情報を検出するアクセサリ検出部と、検出結果に基づいてレンズを制御するためのレンズデータを取得するレンズデータ取得部と、レンズデータをカメラボディに通知するレンズデータ通知部とを備える。
【０００７】
また、本発明のカメラボディは、上記交換レンズを着脱可能なカメラボディであって、通知されたレンズデータに基づいて、レンズ制御データを生成する制御データ生成部を、備える。
【発明の効果】
【０００８】
本発明によれば、アクセサリが装着されてもレンズ制御の容易な交換レンズ着脱式の撮像装置または、その交換レンズを提供することができる。
【図面の簡単な説明】
【０００９】
【図１】実施の形態１のデジタルカメラの構成図
【図２】電源ＯＮ前からコンバージョンレンズを装着している場合を説明するための図
【図３】電源ＯＮ中にコンバージョンレンズが外れた場合を説明するための図
【図４】電源ＯＮ中にコンバージョンレンズが装着された場合を説明するための図
【図５】コンバージョンレンズ装着時／非装着時のレンズデータを説明するための図
【図６】コンバージョンレンズ装着時／非装着時のレンズ状態データを説明するための図
【図７】他の実施形態のデジタルカメラの構成図
【発明を実施するための形態】
【００１０】
（実施の形態１）
以下、実施の形態１について図面を参照して説明する。本実施の形態は、デジタルカメラ１に適用して説明する。
【００１１】
〔１．構成〕
〔１−１  全体構成の概要〕
図１は、本実施の形態に係るデジタルカメラ１の構成図である。
【００１２】
本実施の形態のデジタルカメラ１は、カメラ本体２と、カメラ本体２に着脱可能な交換レンズ３と、交換レンズ３に着脱可能なコンバージョンレンズ４と、を備える。
【００１３】
カメラ本体２は、ＣＭＯＳセンサ２０１、シャッタ２０２、信号処理プロセッサ２０３（ＤＳＰ）、バッファメモリ２０４、液晶モニタ２０５、電子ビューファインダー２０６（ＥＶＦ）、電源２０７、ボディマウント２０８、フラッシュメモリ２０９、カードスロット２１０、ＣＰＵ２１１、シャッタスイッチ２１２、ストロボ２１３、マイク２１４、およびスピーカー２１５を備える。
【００１４】
また交換レンズ３は、レンズマウント３０１、ズームレンズ３０３やフォーカスレンズ３０４を含むレンズ系、ズームレンズ３０３を駆動させるズーム駆動部３０５、フォーカスレンズ３０４を駆動させるフォーカス駆動部３０６、絞り３０７、絞り３０７を駆動させる絞り駆動部３０８、ズームリング３０９、フォーカスリング３１０、およびレンズコントローラ３１１と、単体レンズデータを記憶可能なフラッシュメモリ３１２と、アクセサリ接続部３１３と、を備える。この交換レンズ３は、フラッシュメモリ３１２から読み出した単体レンズデータをカメラ本体２に送信可能に構成されている。
【００１５】
またコンバージョンレンズ４は、変倍レンズ４０１、レンズ接続部４０２を備える。以下、具体的に説明する。以下のレンズの説明において、コンバージョンレンズ４が装着された交換レンズ３を、コンバージョンレンズ４と一体となったレンズとみなし、一体レンズと呼ぶことにする。
【００１６】
以下のレンズの特性値を示すレンズデータの説明において、コンバージョンレンズ４の装着されていない交換レンズ３のみのレンズデータを単体レンズデータと呼ぶことにする。また、コンバージョンレンズ４が装着された交換レンズ３を一体のレンズとみなしたレンズデータを一体レンズデータと呼ぶことにする。同様に、レンズの現在の位置情報や絞り値情報などの状態を示すレンズ状態データについても、それぞれ単体レンズ状態データ、一体レンズ状態データと呼ぶことにする。
【００１７】
〔１−２  カメラ本体２の構成〕
カメラ本体２は、交換レンズ３のレンズ系によって集光された被写体像を撮像して、画像データとして記録できるように構成されている。
【００１８】
ＣＭＯＳセンサ２０１は、受光素子と、ＡＧＣ（ゲイン・コントロール・アンプ）と、ＡＤコンバータを含んで構成される。受光素子は、レンズ系によって集光された光学的信号を電気信号に変換し、画像データを生成する。またＡＧＣは、ＣＭＯＳセンサ２０１から出力された電気信号を増幅するものである。ＡＤコンバータは、ＣＭＯＳセンサ２０１から出力された電気信号をデジタル信号に変換するものである。なお、ＣＭＯＳセンサ２０１は、ＣＰＵ２１１から受信した制御信号に従って、露光、転送、電子シャッタなどの各種の動作を行う。この各種動作は、タイミングジェネレータ等で実現可能である。
【００１９】
メカシャッタ２０２は、レンズ系を介して入射された、ＣＭＯＳセンサ２０１に対する光学的信号の遮断又は通過を切り替える。メカシャッタ２０２は、メカシャッタ２０２駆動部によって駆動される。メカシャッタ駆動部は、メカシャッタ駆動部は、モータ、バネ等の機構部品からなり、ＣＰＵ２１１の制御によって、メカシャッタ２０２を駆動する。要するに、メカシャッタ２０２は、開けたり閉じたりして、ＣＭＯＳセンサ２０１に当たる光の量を時間的に調整するものである。
【００２０】
信号処理プロセッサ２０３（ＤＳＰ）は、ＡＤコンバータによってデジタル信号に変換された画像データに、所定の画像処理を施すものである。所定の画像処理としては、ガンマ変換、ＹＣ変換、電子ズーム処理、圧縮処理、伸張処理等が考えられるが、これに限られるものではない。
【００２１】
バッファメモリ２０４は、信号処理プロセッサ２０３で処理を行う際、および、ＣＰＵ２１１で制御処理を行う際に、ワークメモリとして作用する。バッファメモリ２０４は、例えば、ＤＲＡＭなどで実現可能である。
【００２２】
液晶モニタ２０５は、カメラ本体２の背面に配置されるものであり、ＣＭＯＳセンサ２０１で生成された画像データまたはその画像データに所定の処理が施された画像データを表示可能である。ここで液晶モニタ２０５に入力される画像信号は、信号処理プロセッサ２０３から液晶モニタ２０５に出力される際、ＤＡコンバータによってデジタル信号からアナログ信号に変換される。
【００２３】
電子ビューファインダー２０６は、カメラ本体２に配置されるものであり、ＣＭＯＳセンサ２０１で生成された画像データまたはその画像データに所定の処理が施された画像データを表示可能である。電子ビューファインダー２０６に入力される画像信号も同様に、信号処理プロセッサ２０３から電子ビューファインダー２０６に出力される際、ＤＡコンバータによってデジタル信号からアナログ信号に変換される。
【００２４】
ここで液晶モニタ２０５と電子ビューファインダー２０６への表示は、表示切替手段２１７によって、一方に表示されるようにしている。すなわち、液晶モニタ２０５に画像が表示されている間は、電子ビューファインダー２０６には何も表示されない。また、電子ビューファインダー２０６に画像が表示されている間は、液晶モニタ２０５には何も表示されないように構成されている。表示切替手段２１７は、例えば、切り替えスイッチなどの物理的な構造で実現することができる。例えば、信号処理プロセッサ２０３と液晶モニタ２０５が電気的に接続されている場合、切り替えスイッチが切り替えられることによって、信号処理プロセッサ２０３と液晶モニタ２０５との電気的な接続が切断され、信号処理プロセッサ２０３と電子ビューファインダー２０６とが電気的に接続される。なお上記に限られず、表示切替手段２１７は、ＣＰＵ２１１などから制御信号に基づいて、液晶モニタ２０５と電子ビューファインダー２０６への表示の切り替えを行なってもよい。
【００２５】
以上のように、液晶モニタへの表示と、電気ビューファインダーへの表示とを切り替えるようにしている。但し、これは、構成上の制限からくる問題であるため、液晶モニタへの表示と、電子ビューファインダーへの表示を同時に行なうようにしてもかまわない。ここで、同時に表示する場合、液晶モニタに表示する画像と、電子ビューファンダーへ表示する画像は、同じ画像であっても、違う画像であってもかまわない。
【００２６】
電源２０７は、デジタルカメラ１で消費するための電力を供給する。電源２０７は、例えば乾電池であってもよいし、充電池であってもよい。また、電源２０７コードにより外部から供給される電力をデジタルカメラ１に供給するものであってもよい。
【００２７】
ボディマウント２０８は、交換レンズ３のレンズマウント３０１と相俟って、交換レンズ３の着脱を可能にする部材である。ボディマウント２０８は、交換レンズ３と接続端子等を用い電気的に接続可能であるとともに、係止部材等のメカニカルな部材によって機械的にも接続可能である。ボディマウント２０８は、交換レンズ３に含まれるレンズコントローラ３１１からの信号をＣＰＵ２１１へ出力できるとともに、ＣＰＵ２１１からの信号を交換レンズ３のレンズコントローラ３１１に出力できる。すなわち、ＣＰＵ２１１は、交換レンズ３側のレンズコントローラ３１１と制御信号やレンズ系に関する情報などを送受信可能である。
【００２８】
フラッシュメモリ２０９は、内蔵メモリとして用いられる記憶媒体である。フラッシュメモリ２０９は、画像データまたはその画像データに所定の処理が施された画像データを記憶可能である。また、デジタル化された音声信号も記憶可能である。加えて、画像データや音声信号の他にＣＰＵ２１１の制御のためのプログラムや設定値などを記憶可能である。
【００２９】
カードスロット２１０は、メモリカード２１８を着脱するためのスロットである。メモリカード２１８は、画像データまたはその画像データに所定の処理が施された画像データを記憶可能である。また、デジタル化された音声信号も記憶可能である。要するにメモリカード２１８は、記憶媒体である。
【００３０】
ＣＰＵ２１１は、カメラ本体２全体を制御するものである。ＣＰＵ２１１は、マイクロコンピュータで実現してもよく、ハードワイヤードな回路で実現してもよい。すなわち、ＣＰＵ２１１は、各種の制御を実行する。各種の制御については、２．で記載する。
【００３１】
シャッタスイッチ２１２は、カメラ本体２の上面に設けられた釦であり、使用者からの半押しおよび全押し操作を検知する操作手段である。シャッタスイッチ２１２は、使用者から半押し操作を受け付けると、半押し信号をＣＰＵ２１１に出力する。一方、シャッタスイッチ２１２は、使用者から全押し操作を受け付けると、全押し信号をＣＰＵ２１１に出力する。これらの信号に基づいて、ＣＰＵ２１１は様々な制御を行なう。なお、本実施の形態において全押し信号は、撮影開始信号である。
【００３２】
ストロボ２１３は、ＣＰＵ２１１からの制御信号に基づいて、被写体に対して光の照射を行なうものである。例えば、ストロボ２１３は、キセノンランプやコンデンサー等を用いて実現できる。このように構成した場合、ストロボ２１３は、コンデンサーに高電圧の電荷を蓄積しておき、この電荷をキセノンランプの電極に加えることによって、光の照射するようにしている。
【００３３】
マイク２１４は、音声を電気信号に変換するものである。このマイク２１４から出力された電気信号は、ＡＤコンバータによってデジタル信号に変換される。ＡＤコンバータで変換されたデジタル信号は、ＣＰＵ２１１の制御に従って、フラッシュメモリ２０９またはメモリカード２１８に記憶される。
【００３４】
スピーカー２１５は、電気信号を音声に変換するものである。ここでスピーカー２１５へ入力される電気信号は、ＤＡコンバータでデジタル信号から電気信号に変換されたものである。ＤＡコンバータへの出力は、ＣＰＵ２１１の制御によって、フラッシュメモリ２０９またはメモリカード２１８から読み出されたデジタル信号が出力される。
【００３５】
〔１−３  交換レンズ３の構成〕
レンズ系は、ズームレンズ３０３とフォーカスレンズ３０４と対物レンズ３０２を含んで構成され、被写体からの光を集光する。ズームレンズ３０３は、ズーム駆動部３０５又はズームリング３０９によって駆動され、ズーム倍率を調整するものである。フォーカスレンズ３０４は、フォーカス駆動部３０６又はフォーカスリング３１０によって駆動され、ピントの調節を行なうようにしたものである。要するに、フォーカスレンズ３０４やズームレンズ３０３は可動レンズである。
【００３６】
ズーム駆動部３０５は、レンズコントローラ３１１の制御にしたがって、ズームレンズ３０３を駆動させるようにしたものである。また、フォーカス駆動部３０６は、レンズコントローラ３１１の制御にしたがって、フォーカスレンズ３０４を駆動させるようにしたものである。
【００３７】
絞り３０７は、レンズ系を通過する光の量を調整するものである。例えば、光の調整は、５枚羽根などで構成される開口部を大きくしたり、小さくしたりすることで可能である。
【００３８】
絞り駆動部３０８は、絞り３０７の開口部の大きさを変更するものである。実施の形態１では、レンズコントローラ３１１の制御に基づいて、絞り３０７の開口部の大きさを変更するようにしている。ここで開口部の大きさは、Ｆ値によって指定可能である。なお、絞り駆動部３０８は、レンズコントローラ３１１からの制御に基づいて、絞り３０７を駆動するようにしているが、これに限られず、機械的な方法によって駆動させてもよい。この場合、ボディマウント２０８に連動ピンを設け、この連動ピンの駆動を絞り駆動部３０８が受けて、絞り３０７を駆動させることで可能となる。連動ピンは、ＣＰＵ２１１により制御されたモータなどで駆動される。
【００３９】
絞り駆動部３０８は、レンズコントローラ３１１からの制御に基づいて、絞り３０７を駆動するようにしている。この場合、絞り駆動部３０８は、レンズコントローラ３１１から絞りを調整するための制御信号（絞り値又は駆動量）を取得する。これによって、絞り駆動部３０８は、この絞りの駆動速度に応じて、絞りを駆動する。
【００４０】
ズームリング３０９は、交換レンズ３の外装に設けられ、使用者からの操作に応じて、ズームレンズ３０３を駆動させるものである。また、フォーカスリング３１０は、交換レンズ３の外装に設けられ、使用者からの操作に応じて、フォーカスレンズ３０４を駆動させるものである。
【００４１】
レンズコントローラ３１１は、交換レンズ３全体を制御するものである。レンズコントローラ３１１は、マイクロコンピュータで実現してもよく、ハードワイヤードな回路で実現してもよい。なお、レンズコントローラ３１１は、交換レンズ３がカメラ本体２に装着されると、フラッシュメモリ３１２に記憶された単体レンズデータを読み出して、ＣＰＵ２１１に送信する。
【００４２】
フラッシュメモリ３１２は、交換レンズ３のレンズ特性を表す単体レンズデータを記憶する。ここでの、単体レンズデータとは、図５のように、レンズの名称やＦナンバー、焦点距離等などをカメラ本体２が認識可能な形態になっているデータを表す。また、フラッシュメモリ３１２は、交換レンズ３に接続されたコンバージョンレンズ４の種類に応じたレンズ特性情報であるコンバージョンレンズデータを記憶する。
【００４３】
アクセサリ接続部３１３は、交換レンズ３とコンバージョンレンズ４を接続可能である。また、コンバージョンレンズ４の装着を認識することができる。アクセサリ接続部３１３は、機械的なスイッチで実現してもよく、電気的に電位を検出する回路で実現してもよい。
【００４４】
〔１−４  コンバージョンレンズ４の構成〕
コンバージョンレンズ４は、変倍レンズ４０１とレンズ接続部４０２とから構成される。変倍レンズ４０１は、ＣＭＯＳセンサ２０１に入射される光を変化させ、被写体の倍率を変化させるものである。レンズ接続部４０２は、交換レンズ３のアクセサリ接続部３１３に接続できる。また、レンズ接続部４０２は、アクセサリ接続部３１３に接続されることでレンズコントローラ３１１にコンバージョンレンズ４の装着を認識させる。レンズ接続部４０２は、機械的なスイッチで実現してもよく、電気的に電位を切り換える回路で実現してもよい。機械的なスイッチの場合、装着されるコンバージョンレンズの種類に応じて複数のスイッチを設けることにより、レンズコントローラ３１１は接続されたコンバージョンレンズの種類を判定することができる。また同様に、電気的回路の場合、装着されるコンバージョンレンズの種類に応じて出力する電位を変えることにより、レンズコントローラ３１１は接続されたコンバージョンレンズの種類を判定することができる。
【００４５】
〔１−５．本発明との対応関係〕
コンバージョンレンズ４は本発明のアクセサリの一例である。交換レンズ３は本発明の交換レンズの一例である。ズームレンズ３０３やフォーカスレンズ３０４は本発明のレンズの一例である。アクセサリ接続部３１３は、本発明のアクセサリ装着部の一例である。アクセサリ接続部３１３とレンズコントローラ３１１とからなる構成は本発明のアクセサリ検出部の一例である。レンズコントローラ３１１は、本発明のレンズデータ通知部の一例である。レンズコントローラ３１１は本発明の制御データ取得部の一例である。
【００４６】
カメラ本体２は本発明のカメラボディの一例である。ＣＰＵ２１１は本発明の制御データ生成部の一例である。
【００４７】
〔２．動作〕
上述のように構成されたデジタルカメラ１の動作について、図２〜図４のフローチャートを用いて説明を行なう。図２は、コンバージョンレンズ４が装着されたデジタルカメラ１の電源がＯＮされたときの動作フローチャートである。また図３は、電源ＯＮのときに、コンバージョンレンズ４が、交換レンズ３から外されたときの動作フローチャートである。また図４は、電源ＯＮのときに、コンバージョンレンズ４が、交換レンズ３に装着されたときの動作フローチャートである。
【００４８】
〔２−１．コンバージョンレンズ４装着時のおける電源ＯＮ時の動作〕
まず図２のコンバージョンレンズ４が装着されたデジタルカメラ１の電源がＯＮされたときの動作を説明する。図２のように、カメラ本体２に、一体レンズを装着した状態で、使用者が、カメラ本体２の電源を入れると、電源２０７から、ボディマウント２０８及びレンズマウント３０１を介して、交換レンズ３に電力を供給する（Ｓ１１）。次に、ＣＰＵ２１１は、レンズコントローラ３１１に対して、交換レンズ３の認証情報を要求する（Ｓ１２）。ここで、交換レンズ３の認証情報には、交換レンズ３が装着されているか否かに関する情報が含まれる。なお、カメラ本体２は、交換レンズ３にコンバージョンレンズ４が装着されたことを認識しなくてもよい。レンズコントローラ３１１は、ＣＰＵ２１１からのレンズ認証要求に応答する（Ｓ１３）。
【００４９】
次に、ＣＰＵ２１１は、レンズコントローラ３１１に対して、初期化動作をするよう要求する（Ｓ１４）。これを受けて、レンズコントローラ３１１は、絞り３０７のリセット、フォーカスレンズ３０４のリセット等の初期化動作を行う。そして、レンズコントローラ３１１は、ＣＰＵ２１１に対して、レンズ初期化動作が完了した旨を応答する（Ｓ１５）。
【００５０】
次に、ＣＰＵ２１１は、レンズコントローラ３１１に対して、レンズデータを要求する（Ｓ１６）。そこで、レンズコントローラ３１１は、アクセサリ接続部３１２の接続状態を確認して、コンバージョンレンズ４が装着されていることを認識する。また、アクセサリ接続部３１２に機械的または電気的に複数のスイッチが備えられており、レンズコントローラ３１１は交換レンズ３に装着されたコンバージョンレンズ４の種類を認識する。レンズコントローラ３１１は、フラッシュメモリ３１２から単体レンズデータを読み出す。また、レンズコントローラ３１１は、フラッシュメモリ３１２から対応するコンバージョンレンズデータを読み出す。レンズコントローラ３１１は、読み出したコンバージョンレンズデータに基づき、単体レンズデータに対して変換処理を行い、一体レンズデータを生成する。そして、レンズコントローラ３１１は、生成した一体レンズデータをＣＰＵ２１１に返信する（Ｓ１７）。ここで、一体レンズデータとは、図５に示すように、単体レンズデータと同様の形態を持つ、コンバージョンレンズ４が装着された交換レンズ３特有の特性値である。すなわち、一体レンズデータは、コンバージョンレンズ４と交換レンズ３を一体のレンズとみなしたときの特性値である。
【００５１】
ＣＰＵ２１１が、カメラ本体２に装着されている一体レンズの一体レンズデータを把握すると、撮像可能な状態になる。この状態では、ＣＰＵ２１１は、レンズコントローラ３１１に対して、交換レンズ３の状態を示すレンズ状態データを定期的に要求する（Ｓ１８）。図６に示すようにレンズ状態データは、例えば、ズームレンズ位置情報、フォーカスレンズ位置情報、合焦位置情報、絞り値情報などが含まれる。
【００５２】
この要求に応えて、レンズコントローラ３１１は、現在のズームレンズ３０３やフォーカスレンズ３０４や絞り３０７の位置から単体レンズ状態データを算出する。次に、レンズコントローラ３１１は、コンバージョンレンズ４のコンバージョンレンズデータに基づいて単体レンズ状態データに対して変換処理を行い、一体レンズ状態データを生成する。そして、レンズコントローラ３１１は、一体レンズ状態データをＣＰＵ２１１に応答する（Ｓ１９）。
【００５３】
また、この状態から、カメラシステム１は、ＣＭＯＳセンサ２０１で生成した画像データが示す画像をスルー画像として液晶モニタ２０１に表示する制御モードで動作し得る。この制御モードをライブビューモードという。ライブビューモードでは、スルー画像が動画で液晶モニタ２０１に表示されるので、使用者は、液晶モニタ２０１を見ながら静止画像を撮像するための構図を決めることができる。このとき、露出やピントを調節するために、ＣＰＵ２１１は、交換レンズ３に対して、ボディマウント２０８及びレンズマウント３０１を介して、フォーカスレンズ３０４や絞り３０７を駆動させるレンズ制御要求を行う（Ｓ２０）。
【００５４】
この要求に応えて、レンズコントローラ３１１は、レンズ制御要求のパラメータに対して、コンバージョンレンズ４のコンバージョンレンズデータに基づく変換処理を行い、実際に交換レンズ３のレンズを制御するための制御信号を生成する。すなわち、レンズコントローラ３１１は、ＣＰＵ２１１から指示されたレンズ制御要求に対して、コンバージョンレンズ４のレンズ特性を考慮し、交換レンズ３のレンズが受け持つ制御信号を生成する。そしてレンズコントローラ３１１は、生成した制御信号に基づいてフォーカスレンズ３０４や絞り３０７を駆動させる。レンズ制御要求パラメータとは、例えば、駆動を要求するフォーカスレンズの目標距離情報、駆動を要求する絞りの目標絞り値情報などが含まれる。駆動制御が完了したのち、レンズコントローラ３１１は、駆動制御が完了したことを通知するレンズ制御応答を、ＣＰＵ２１１に応答する（Ｓ２１）。
【００５５】
以上のように、コンバージョンレンズ４が装着されたデジタルカメラ１の電源がＯＮされると、レンズコントローラ３１１は、レンズ初期化処理を終えた後、装着されたコンバージョンレンズ４と交換レンズ３の一体レンズデータを生成してカメラ本体２に通知する。
【００５６】
〔２−２．電源ＯＮ時にコンバージョンレンズが外れた時の動作〕
次に図３の電源ＯＮのときに、コンバージョンレンズ４が、交換レンズ３から外されたときの動作を説明する。
【００５７】
カメラ本体２に一体レンズを装着した状態で、電源ＯＮ中に、使用者が、コンバージョンレンズ４を交換レンズ３から外すと、レンズコントローラ３１１は、アクセサリ接続部３１２の状態を確認して、コンバージョンレンズ４が装着されていないことを認識する。そして、レンズコントローラ３１１は、ボディマウント２０８及びレンズマウント３０１を介して、ＣＰＵ２１１にレンズのリセットを要求する（Ｓ３０）。
【００５８】
リセット要求を受けてＣＰＵ２１１は、レンズコントローラ３１１に対して、レンズデータを要求する（Ｓ３１）。続いて、レンズコントローラ３１１は、フラッシュメモリ３１２から単体レンズデータを読み出して、ＣＰＵ２１１に応答する（Ｓ３２）。
【００５９】
ＣＰＵ２１１が交換レンズ３の単体レンズデータを把握すると、デジタルカメラ１は撮像可能な状態になる。この状態では、ＣＰＵ２１１は、レンズコントローラ３１１に対して、交換レンズ３の状態を示すレンズ状態データを定期的に要求する（Ｓ３３）。この要求に応えて、レンズコントローラ３１１は、現在のズームレンズ３０３やフォーカスレンズ３０４や絞り３０７の位置から、単体レンズ状態データを算出し、ＣＰＵ２１１に応答する（Ｓ３４）。
【００６０】
また、露出やピントを調節するために、ＣＰＵ２１１は、交換レンズ３に対して、ボディマウント２０８及びレンズマウント３０１を介して、フォーカスレンズ３０４や絞り３０７を駆動させるレンズ制御要求を行う（Ｓ３５）。この要求に応えて、レンズコントローラ３１１は、レンズ制御要求のパラメータに対して、交換レンズ３のレンズを制御するための制御信号を生成する。そして、レンズコントローラ３１１は、生成した制御信号に基づいてフォーカスレンズ３０４や絞り３０７を駆動させる。駆動制御が完了したのち、レンズコントローラ３１１は、駆動制御が完了したことを通知するレンズ制御応答を、ＣＰＵ２１１に応答する（Ｓ３６）。
【００６１】
以上のように、電源ＯＮ中に、交換レンズ３からコンバージョンレンズ４が外されると、レンズコントローラ３１１は、レンズリセットを終えた後、一体レンズデータではなく交換レンズ３の単体レンズデータをカメラ本体２に通知する。
【００６２】
〔２−３．電源ＯＮ時にコンバージョンレンズが装着された時の動作〕
次に図４に示す電源ＯＮのときに、コンバージョンレンズ４が、交換レンズ３に装着されたときの動作を説明する。
図４のように、カメラ本体２に、交換レンズ３を装着した状態で、電源ＯＮ中に、使用者が、コンバージョンレンズ４を交換レンズ３に装着すると、レンズコントローラ３１１は、アクセサリ接続部３１２の状態を確認して、コンバージョンレンズ４が装着されていることを認識する。そして、レンズコントローラ３１１は、ボディマウント２０８及びレンズマウント３０１を介して、ＣＰＵ２１１にレンズのリセットを要求する（Ｓ４０）。
【００６３】
次に、ＣＰＵ２１１は、レンズコントローラ３１１に対して、レンズデータを要求する（Ｓ４１）。続いて、レンズコントローラ３１１は、フラッシュメモリ３１２から単体レンズデータを読み出す。また、レンズコントローラ３１１は、フラッシュメモリ３１２から対応するコンバージョンレンズデータを読み出す。レンズコントローラ３１１は、読み出したコンバージョンレンズデータに基づき、単体レンズデータに対して変換処理を行い、一体レンズデータを生成する。そして、レンズコントローラ３１１は、一体レンズデータをＣＰＵ２１１に応答する（Ｓ４２）。
【００６４】
ＣＰＵ２１１が、カメラ本体２に装着されている一体レンズの一体レンズデータを把握すると、撮像可能な状態になる。この状態では、ＣＰＵ２１１は、レンズコントローラ３１１に対して、交換レンズ３の状態を示すレンズ状態データを定期的に要求する（Ｓ４３）。
この要求に応えて、レンズコントローラ３１１は、現在のズームレンズ３０３やフォーカスレンズ３０４や絞り３０７の位置から単体レンズ状態データを算出する。次に、レンズコントローラ３１１は、コンバージョンレンズ４のコンバージョンレンズデータに基づいて単体レンズ状態データに対して変換処理を行い、一体レンズ状態データを生成する。そして、レンズコントローラ３１１は、一体レンズ状態データをＣＰＵ２１１に応答する（Ｓ４４）。
【００６５】
また、露出やピントを調節するために、ＣＰＵ２１１は、交換レンズ３に対して、ボディマウント２０８及びレンズマウント３０１を介して、フォーカスレンズ３０４や絞り３０７を駆動させるレンズ制御要求を行う（Ｓ４５）。この要求に応えて、レンズコントローラ３１１は、レンズ制御要求のパラメータに対して、コンバージョンレンズ４の特性に基づく変換処理を行い、実際に交換レンズ３のレンズを制御するための制御信号を生成する。すなわち、レンズコントローラ３１１は、ＣＰＵ２１１から指示されたレンズ制御要求に対して、コンバージョンレンズ４のレンズ特性を考慮し、交換レンズ３のレンズが受け持つ制御信号を生成する。そして、レンズコントローラ３１１は、生成した制御信号に基づいてフォーカスレンズ３０４や絞り３０７を駆動させる。駆動制御が完了したのち、レンズコントローラ３１１は、駆動制御が完了したことを通知するレンズ制御応答を、ＣＰＵ２１１に応答する（Ｓ４６）。
【００６６】
以上のように、電源ＯＮ中に交換レンズ３にコンバージョンレンズ４が装着されると、レンズコントローラ３１１は、レンズリセットを終えた後、装着されたコンバージョンレンズ４と交換レンズ３の一体レンズデータを生成してカメラ本体２に通知する。
【００６７】
〔３．まとめ〕
上述のように本実施の形態１のカメラシステム１は、装着されたコンバージョンレンズ４と交換レンズ３の一体レンズデータを生成し、カメラ本体２に通知する。これにより、カメラ本体２はコンバージョンレンズが交換レンズに装着されたことを認識しなくても、レンズ制御が可能となる。また、カメラ本体２は、コンバージョンレンズが装着された交換レンズを、あるレンズ特性値を有する一体のレンズとみなして制御することができる。従って、カメラ本体２はコンバージョンレンズを直接制御するための各種演算処理を省くことができる。
【００６８】
また、従来のようにカメラ本体が直接コンバージョンレンズを制御しようとするときは、コンバージョンレンズに制御用の電気回路が必要であった。しかし、本実施の形態１においては、コンバージョンレンズと交換レンズとの簡単な接続により、レンズコントローラ３１１がコンバージョンレンズの特性を含めた一体のレンズデータを生成し、この一体のレンズデータをカメラ本体に通知する。これによりカメラ本体は、この一体のレンズデータに基づいて、一体のレンズとみなしてレンズ制御をすることができる。従って、本実施の形態１の思想におけるコンバージョンレンズは、自レンズ制御用の電気回路が不要である。そのため、消費電力およびコストを低減させることができる。
（他の実施の形態）
本発明の実施の形態として、実施の形態１を例示した。しかし、本発明は、実施の形態１に限定されず、他の実施の形態においても実現可能である。そこで、本発明の他の実施の形態を以下まとめて説明する。
【００６９】
本発明の実施の形態１では、受光素子、ＡＧＣ、ＡＤコンバータを備えるＣＭＯＳセンサで構成した。しかし、これに限られず、例えば、ＣＣＤイメージセンサとＡＤコンバータを別々の部材で構成してもよい。撮像手段は、被写体像を撮像して、画像データ（デジタル信号又は電気信号）を生成できるものであれば、どのような構成であってもかまわない。なお、ＣＭＯＳセンサで構成した場合、消費電力を減らすことができる。
【００７０】
上記実施の形態１では、アクセサリ接続部３１３とレンズ接続部４０２を用いてコンバージョンレンズ４の装着を確認する構成とした。しかし、これに限られず、例えば、図７のように、交換レンズ３にアクセサリインターフェース３１４を持ち、コンバージョンレンズ４に、レンズインターフェース４０４と、変倍レンズ駆動部４０３を持たせてもよい。この場合、交換レンズ３とコンバージョンレンズ４の間で通信や駆動の制御が可能になるため、コンバージョンレンズの種類を増やしたり、コンバージョンレンズの変倍率を可変に出来るといった機能の拡張を行うことが可能になる。
【００７１】
また、実施の形態１では装着されたコンバージョンレンズに対応するコンバージョンレンズデータに基づいて、レンズコントローラ３１１が一体レンズデータを生成していたが、本発明はこれに限定されない。例えば、特定のコンバージョンレンズを交換レンズに装着したときの一体レンズデータを複数個予めフラッシュメモリ３１２に格納しておいてもよい。このとき、レンズコントローラ３１１は、交換レンズに装着されたコンバージョンレンズに対応する一体レンズデータを取得するように構成すればよい。
【００７２】
また、実施の形態１では交換レンズに装着されたアクセサリがコンバージョンレンズの場合を説明したが、本発明はこれに限定されない。すなわち、本発明のアクセサリは、フィルタや、手振れ補正ユニットや、電動ズームユニットも含まれる。フィルタの場合は、フィルタが装着された交換レンズ３を単独のレンズとみなす一体レンズデータを生成する。例えば、ＮＤフィルタの場合は、一体レンズデータに記載されるＦ値がＮＤフィルタ適用後の数値となる。これにより、カメラ本体２は、正確な被写体輝度を計算することができる。また、手振れ補正ユニットや電動ズームユニットの場合も、それぞれが装着された交換レンズを手振れ補正可能な単独レンズ、あるいは電動ズーム可能な単独レンズとみなし、カメラ本体２で制御可能になる。
【産業上の利用可能性】
【００７３】
本発明はカメラシステム１への適用に限定されず、アクセサリ装着可能な交換レンズ着脱式の撮像装置であれば適用可能である。
【符号の説明】
【００７４】
１    デジタルカメラ
２    カメラ本体
３    交換レンズ
２０１    ＣＭＯＳセンサ
２０２    シャッタ
２０３    信号処理プロセッサ
２０４    バッファメモリ
２０８    ボディマウント
２０９    フラッシュメモリ
２１０    カードスロット
２１１    ＣＰＵ
２１２    シャッタスイッチ
２１８    メモリカード
３０１    レンズマウント
３０７    絞り
３０８    絞り駆動部
３１１    レンズコントローラ
３１２    フラッシュメモリ
【図１】
2011128346.tif 000003
【図２】
2011128346.tif 000004
【図３】
2011128346.tif 000005
【図４】
2011128346.tif 000006
【図５】
2011128346.tif 000007
【図６】
2011128346.tif 000008
【図７】
2011128346.tif 000009